【手続補正書】
【提出日】平成21年9月8日(2009.9.8)
【手続補正１】
【補正対象書類名】明細書
【補正対象項目名】特許請求の範囲
【補正方法】変更
【補正の内容】
【特許請求の範囲】
【請求項１】 
装着されたデバイス・アセンブリの一部の特性を決定する方法であって、前記装着されたデバイス・アセンブリは支持構造体上に装着されたデバイスを含み、前記方法は、
第１の角度位置で前記アセンブリの第１の画像を取り込むステップと、
前記第１の画像の中央部分を保存するステップと、
前記アセンブリを所定の角度量だけ回転させて第２の角度位置にするステップと、
前記アセンブリの第２の画像を前記第２の角度位置で取り込むステップと、
前記第１の画像の前記中央部分にある画素に対応する前記第２の画像の画素を識別するステップと、
前記第２の画像において前記識別された画素と前記第１の画像の前記中央部分にある対応する画素とを比較するステップと、
前記比較の関数として前記アセンブリの特性を決定するステップと
を含むことを特徴とする方法。
【請求項２】
請求項１記載の方法において、前記第２の画像において識別された画素は第１の画像タイプであり、前記第１の画像の前記中央部分において前記対応する画素は第２の画像タイプであり、前記第２の画像において識別された画素と前記第１の画像の前記中央部分において対応する画素は各々が前記アセンブリの同一部分に相当することを特徴とし、前記方法はさらに、
前記第１と第２の画像タイプが同一の場合には前記アセンブリの前記対応する部分が第１の特性を有すると判定するステップと、
前記第１と第２の画像タイプが異なる場合には前記アセンブリの前記対応する部分が第２の特性を有すると判定するステップとを含む
ことを特徴とする請求項１に記載の方法。
【請求項３】
前記第２の画像の前記識別された画素は第１の画像タイプであり、前記第１の画像の前記中央部分にある前記対応する画素は第２の画像タイプであって、前記第２の画像の前記識別された画素と前記第１の画像の前記中央部分の前記対応する画素は各々が前記アセンブリの同一部分に相当することを特徴とする請求項１に記載の方法であって、
前記アセンブリは
バルーン部分を有するバルーン・カテーテルと、
前記バルーン・カテーテルのバルーン部分に装着されたステントを含むことを特徴とし、
前記方法はさらに
前記第１と第２の画像タイプの各々が明るい場合には前記アセンブリの前記対応する部分は前記ステントの一部であると判定するステップと、
前記第１と第２の画像タイプの各々が暗い場合には前記アセンブリの前記対応する部分が前記ステントの一部ではないと判定するステップと、
前記第１の画像タイプが暗く第２の画像タイプが明るい場合には前記アセンブリの前記対応する部分が前記ステントの一部であると判定するステップと
を含むことを特徴とする請求項１に記載の方法。
【請求項４】
前記第２の画像において識別された画素は第１の画像タイプのものであり、前記第１の画像の前記中央部分にある前記対応する画素は第２の画像タイプのものであり、前記第２の画像において前記識別された画素と前記第１の画像の前記中央部分にある前記対応する画素は、それぞれ、前記アセンブリの同じ部分に対応し、前記アセンブリは支持構造体上に装着させたステントを含むことを特徴とする請求項１に記載の方法であって、
前記方法はさらに、
前記第１と第２の画像タイプの各々が明るい場合には前記アセンブリの前記対応する部分が前記ステントの一部であると判定するステップと、
前記第１と第２の画像タイプの各々が暗い場合には前記アセンブリの前記対応する部分が前記ステントの一部ではないと判定するステップと、
前記第１の画像タイプが暗く第２の画像タイプが明るい場合には前記アセンブリの前記対応する部分が前記ステントの一部であると判定するステップと
を含むことを特徴とする請求項１に記載の方法。
【請求項５】
第１の画像タイプのものであり、前記第１の画像の前記中央部分にある前記対応する画素は第２の画像タイプのものであり、前記第２画像において前記識別された画素と前記第１の画像の前記中央部分にある前記対応する画素は、それぞれ、前記アセンブリの同じ部分に対応し、前記アセンブリは支持構造体上に装着させたステントを含むことを特徴とする請求項１に記載の方法であって、
前記方法はさらに、
前記第１と第２の画像タイプの各々が明るい場合には前記アセンブリの前記対応する部分が前記ステントの一部であると判定するステップと、
前記第１と第２の画像タイプの各々が前記第１の明るさレベルとは異なる第２の明るさレベルのものである場合には前記アセンブリの前記対応する部分は前記ステントの一部ではないと判定するステップと、
前記第１の画像タイプが前記第２の明るさレベルのものであり、前記第２の画像タイプが前記第１の明るさレベルのものである場合には、前記アセンブリの前記対応する部分は前記ステントの一部であると判定するステップと
を含むことを特徴とする請求項１に記載の方法。
【請求項６】
前記第１の画像タイプは第１の明るさレベルのものと該第１の明るさレベルとは異なる第２の明るさレベルのものとの内の１つであり、
前記第２の画像タイプは前記第１の明るさレベルのものと前記第２の明るさレベルのものとの内の１つである
ことを特徴とする請求項３に記載の方法。
【請求項７】
装着されたデバイス・アセンブリの一部の特性を決定するためのシステムであって、前記装着されたデバイス・アセンブリは支持構造体上に装着されたデバイスを含むことを特徴とし、
前記システムは
第１の角度位置で前記アセンブリの第１の画像を取り込む手段と、
前記取り込み手段によって取り込まれた前記第１の画像の中央部分を保存する手段と、
第２の角度位置まで所定の角度量だけ前記アセンブリを回転させる手段と、
前記第２の角度位置で前記アセンブリの第２の画像を取り込む手段と、
前記第２の画像において識別された画素と前記第１の画像の前記中央部分において対応する画素とを比較する手段と、
前記比較の関数として前記アセンブリの特性を決定する手段と
を含むことを特徴とするシステム。
【請求項８】
前記第２の画像において識別された画素は第１の画像タイプであり、前記第１の画像の前記中央部分において前記対応する画素は第２の画像タイプであり、前記第２の画像において前記識別された画素と前記第１の画像の前記中央部分において前記対応する画素は各々前記アセンブリの同一部分に相当することを特徴とする請求項７に記載のシステムであって、
前記システムはさらに
前記第１と第２の画像タイプが同一である場合には前記アセンブリの前記対応する部分が第１の特性を有すると判定する手段と、
前記第１と第２の画像タイプが異なる場合には前記アセンブリの前記対応する部分が第２の特性を有すると判定する手段と
をさらに含むことを特徴とする請求項７に記載のシステム。
【請求項９】
前記第２の画像において前記識別された画素は第１の画像タイプであり、前記第１の画像の前記中央部分において対応する画素は第２の画像タイプであり、前記第２の画像の前記識別された画素と前記第１の画像の前記中央部分において前記対応する画素は各々が前記アセンブリの同一部分に相当することを特徴とする請求項７に記載のシステムであって、
前記アセンブリは
バルーン部分を有するバルーン・カテーテルと、
前記バルーン・カテーテルの前記バルーン部分に装着されたステントを含むことを特徴とし、
前記システムはさらに
前記第１と第２の画像タイプが各々明るい場合には前記アセンブリの前記対応する部分が前記ステントの一部であると判定する手段と、
前記第１と第２の画像タイプの各々が暗い場合には前記アセンブリの前記対応する部分が前記ステントの一部ではないと判定する手段と、
前記第１の画像タイプが暗く前記第２の画像タイプが明るい場合には前記アセンブリの前記対応する部分が前記ステントの一部であると判定する手段と、
をさらに含むことを特徴とする請求項７に記載のシステム。
【請求項１０】
前記第１の画像タイプは第１の明るさレベルのものと該第１の明るさレベルとは異なる第２の明るさレベルのものとの内の１つであり、前記第２の画像タイプは前記第１の明るさレベルのものと前記第２の明るさレベルのものとの内の１つである
ことを特徴とする請求項８に記載のシステム。
【請求項１１】
前記第２の画像の中の識別された前記画素は第１の画像タイプのものであり、前記第１の画像の中央部分にある対応する画素は第２の画像タイプのものであり、前記第２の画像の中の識別された画素及び前記第１の画像の中央部分にある前記対応する画素は、それぞれ、前記アセンブリの同じ部分に対応することを特徴とする請求項７に記載のシステムであって、
前記アセンブリは支持構造体に装着されたステントを含み、
前記システムはさらに、
前記第１と前記第２の画像タイプが各々明るい場合には前記アセンブリの前記対応する部分が前記ステントの一部であると判定する手段と、
前記第１と第２の画像タイプの各々が暗い場合には前記アセンブリの前記対応する部分が前記ステントの一部ではないと判定する手段と、
前記第１の画像タイプが暗く前記第２の画像タイプが明るい場合には前記アセンブリの前記対応する部分が前記ステントの一部であると判定する手段と、
を含むことを特徴とする請求項７に記載のシステム。
【請求項１２】
前記第２の画像の中の識別された前記画素は第１の画像タイプのものであり、前記第１の画像の中心部分にある対応する画素は第２の画像タイプのものであり、前記第２の画像の中の識別された画素及び前記第１の画像の中の中央部分にある前記対応する画素は、それぞれ前記アセンブリの同じ部分に対応することを特徴とする請求項７に記載のシステムであって、
前記アセンブリは支持構造体に装着されたステントを含み、
前記システムはさらに、
前記第１と第２の画像タイプの各々が第１の明るさレベルのものである場合には前記アセンブリの前記対応する部分が前記ステントの一部であると判定する手段と、
前記第１と第２の画像タイプの各々が前記第１の明るさレベルとは異なる第２の明るさレベルのものである場合には前記アセンブリの前記対応する部分は前記ステントの一部ではないと判定する手段と、
前記第１の画像タイプが前記第２の明るさレベルのものであり前記第２の画像タイプが前記第１の明るさレベルのものである場合には前記アセンブリの前記対応する部分は前記ステントの前記対応する部分の一部であると判定する手段と、
を含むことを特徴とする請求項７に記載のシステム。
【手続補正２】
【補正対象書類名】明細書
【補正対象項目名】発明の名称
【補正方法】変更
【補正の内容】
【発明の名称】ステントを造影する方法及びそのための照明システム